(57)【要約】【課題】正面を向いたときよりも前後方向に傾けたときの方が平面視の投影面積が大きくなる商品の陳列台であって、単一の機構で商品の下端部の支持位置と背面上部の支持位置の両方を変更可能とすることにより、商品の傾きを変えるためのスペースを抑制しながら、しかも簡単な構成で商品の傾きを変える。【解決手段】商品４０を正面に向けた状態及び前後方向に傾けた状態で支持するホルダ１０と、該ホルダ１０を支持する支持台２０と、商品４０の上端部を上下方向に、下端部を前後方向に同時に移動自在とするようにホルダ１０と支持台２０とを連結する連結機構３０とを備える。一つの連結機構によって、商品の上端部を上下方向に、且つ下端部を前後方向に同時に移動自在としているので、従来のように商品の下端部の支持位置と背面上部の支持位置を変える構成を両方必要とするものに比べて、構成を簡単にできる。【選択図】図１
2012055466.tif 000002
【特許請求の範囲】
【請求項１】
正面を向いたときよりも前後方向に傾けたときの方が平面視の投影面積が大きくなる商品の陳列台であって、
前記商品を正面に向けた状態及び前後方向に傾けた状態で支持するホルダと、
該ホルダを支持する支持台と、
前記商品の上端部を上下方向に、下端部を前後方向に同時に移動自在とするように前記ホルダと支持台とを連結する連結機構と、
を備える商品陳列台。
【請求項２】
請求項１の商品陳列台において、
前記連結機構は、各端部が前記ホルダ及び支持台に連結された連結棒を有し、該連結棒は前後方向に回動自在とされ、少なくとも連結棒と支持台との連結角度が選択的に維持可能とされていることを特徴とする商品陳列台。
【請求項３】
請求項１又は２の商品陳列台において、
前記ホルダは、底板と背板とが鉤型に組合わされて成り、商品の底面及び背面を前記底板及び背板で支持することを特徴とする商品陳列台。
【請求項４】
請求項３の商品陳列台において、
前記連結棒は、背板の背面中央部と支持台の後端中央部に連結されていることを特徴とする商品陳列台。
【請求項５】
請求項３又は４の商品陳列台において、
前記ホルダの底板は商品の大きさに合わせた幅に設定され、背板は底板よりも幅狭に設定されていることを特徴とする商品陳列台。
【発明の詳細な説明】
【技術分野】
【０００１】
本発明は、位牌・携帯電話のように、正面を向いたときよりも前後方向に傾けたときの方が平面視の投影面積が大きくなる商品の陳列台に関する。
【背景技術】
【０００２】
位牌・携帯電話などの商品を陳列棚に陳列する際、客の目線より下の棚にあるものは、客は体を縮めて見ないと商品が見難い。それを見易くするように、見る人の目線方向に商品の正面を傾けて、体を縮めなくても商品を正面から見えるようにする陳列台が既に知られている。
しかし、位牌・携帯電話のように、正面を向いたときよりも前後方向に傾けたときの方が平面視の投影面積が大きくなる商品の場合、陳列棚の下方で客の目線方向に商品の正面を向けるためには、商品を前後方向に傾けなければならないため、前後方向の陳列台のスペースが多く必要となる。陳列台のスペースは少ない方が良いため、スペースを多く取らなくて済む陳列台として下記特許文献１の陳列台が開発されている。かかる特許文献１の陳列台は、商品の下端部を支持する部分と商品の背面上部を支持する部分との両方の支持位置を変更して商品の傾きを変えるものであるため、片方だけの支持位置を変更するものに比べて傾きを変えるためのスペースを抑制できる。
【先行技術文献】
【特許文献】
【０００３】
【特許文献１】特開２００４−３２１４４５号公報
【発明の概要】
【発明が解決しようとする課題】
【０００４】
しかし、かかる特許文献１の陳列台の場合、下端部の支持位置を変える構成と、背面上部の支持位置を変える構成との両方を必要とし、構成が複雑である。
本発明は、このような問題に鑑み、単一の機構で商品の下端部の支持位置と背面上部の支持位置の両方を変更可能とすることにより、商品の傾きを変えるためのスペースを抑制しながら、しかも簡単な構成で商品の傾きを変えることを課題とする。
【課題を解決するための手段】
【０００５】
本発明の第１発明は、正面を向いたときよりも前後方向に傾けたときの方が平面視の投影面積が大きくなる商品の陳列台であって、
前記商品を正面に向けた状態及び前後方向に傾けた状態で支持するホルダと、
該ホルダを支持する支持台と、
前記商品の上端部を上下方向に、下端部を前後方向に同時に移動自在とするように前記ホルダと支持台とを連結する連結機構と、
を備える商品陳列台である。
第１発明によれば、一つの連結機構によって、商品の上端部を上下方向に、且つ下端部を前後方向に同時に移動自在としているので、従来のように商品の下端部の支持位置を変える構成と背面上部の支持位置を変える構成との両方を必要とするものに比べて、構成を簡単にできる。
【０００６】
本発明の第２発明は、上記第１発明の商品陳列台において、
前記連結機構は、各端部が前記ホルダ及び支持台に連結された連結棒を有し、該連結棒は前後方向に回動自在とされ、少なくとも連結棒と支持台との連結角度が選択的に維持可能とされていることを特徴とする商品陳列台である。
第２発明によれば、連結機構は、連結棒がホルダと支持台とに連結されているだけの構成であるため、更に構成を簡単にできる。
【０００７】
本発明の第３発明は、上記第１又は第２発明の商品陳列台において、
前記ホルダは、底板と背板とが鉤型に組合わされて成り、商品の底面及び背面を前記底板及び背板で支持することを特徴とする商品陳列台である。
第３発明によれば、商品は、その底面及び背面を底板及び背板によって支持されるので、ホルダに安定して支持され、商品の傾きを変更しても、僅かな振動で商品が不用意に動いてしまうことを防止できる。
【０００８】
本発明の第４発明は、上記第３発明の商品陳列台において、
前記連結棒は、背板の背面中央部と支持台の後端中央部に連結されていることを特徴とする商品陳列台である。
第４発明によれば、ホルダが透光性の部材で製作されている場合でも、商品の幅に比べて連結棒の幅を小さくすれば、商品を正面から見た際に連結棒はホルダに支持された商品によって隠されるため、商品のみを浮き上がらせるように見せることができ、商品の見栄えを良くすることができる。
【０００９】
本発明の第５発明は、上記第３又は第４発明の商品陳列台において、
前記ホルダの底板は商品の大きさに合わせた幅に設定され、背板は底板よりも幅狭に設定されていることを特徴とする商品陳列台である。
第５発明によれば、ホルダの底板は商品の幅と同等の大きさとされているため、商品を安定して支持することができ、一方、背板は、その幅を底板より狭くされているため、商品の幅が下部から上部まで同程度の場合には、ホルダに商品を載置し、その商品を正面から見た際に背板は商品に隠れるようにすることができ、商品のみを浮き上がらせるように見せることができ、商品の見栄えを良くすることができる。
【図面の簡単な説明】
【００１０】
【図１】本発明の一実施形態の斜視図である。
【図２】図１の実施形態の正面図である。
【図３】図１の実施形態の平面図である。
【図４】図１の実施形態の側面図である。
【図５】図１の商品陳列台によって商品を陳列棚に並べた際の側面図である。
【発明を実施するための形態】
【００１１】
以下、本発明の一実施形態を図面を参照しながら説明する。
図１〜４に示す実施形態では、位牌４０を商品とした場合の商品陳列台の例を示している。位牌４０は、図中、２点鎖線で示されており、正面を向いたときよりも前後方向に傾けたときの方が平面視での投影面積が大きくなる。そのため、図５のように陳列棚５０のうちで下部に置かれた位牌４０を客Ｐが姿勢を大きく変えなくても見やすくするために後傾させた場合、陳列棚５０の前後方向長さが大きく必要となる。
【００１２】
図１〜４において、位牌４０を陳列時に支持するホルダ１０は、底板１１と背板１２とが鉤型に組合されて成り、底板１１は、位牌４０の下部を支持するのに充分な大きさとなるように位牌４０の下部より若干大きい程度の大きさとされている。一方、背板１２は、底板１１より幅狭で位牌４０の高さと略等しい高さとされている。背板１２の前面で上部中央部には、位牌４０の後方で位牌４０の陰に隠れる大きさとされた突部１６が接着固定されており、位牌４０の背面を部分的に支持するようになっている。位牌４０は、下部よりも上部の奥行寸法が小さくされているため、ホルダ１０上で位牌４０を後傾させて支持した際に、位牌４０の姿勢が安定するようにしている。即ち、位牌４０の下部を背板１２に当接させた位置に置いたとき、位牌４０の上部が丁度突部１６に当接するようになっている。なお、突部１６の先端面には、植毛処理が施された布１７が接着され、位牌４０の背面が突部１６に当接したときの衝撃を緩和して位牌４０が傷つかないようにしている。
【００１３】
支持台２０は、ホルダ１０を支持するように設けられ、支持台２０の後端中央部には、２枚のブラケット２１、２２が僅かに離間して固定されている。２つのブラケット２１、２２間には、連結棒３０の一端が挟まれ、ビス２３によって連結棒３０が前後方向に回動自在に支持されている。連結棒３０の他端は、ホルダ１０の背板１２の中央部に固定された２枚のブラケット１３、１４に挟まれると共に、ヒンジ軸１５によって前後方向に回動自在に支持されている。連結棒３０の一端は、ビス２３を緩めることにより回動自在とされ、ビス２３を締めることにより回動を阻止されて連結棒３０と支持台２０との角度が維持される。ここでは、ビス２３を除いて陳列台を構成する全ての部品は透光性のアクリル樹脂によって形成されている。また、ホルダ１０と支持台２０とを連結する連結機構である各ブラケット１３、１４、２１、２２、ヒンジ軸１５、ビス２３、及び連結棒３０は正面から見たとき位牌４０の陰に隠れる大きさとされている。
【００１４】
図５には、一実施形態の陳列台を使って上下３段の陳列棚５０に位牌４０を陳列した状態を示している。最上段の棚板５１に陳列された位牌４０は、正面を向いた客Ｐの目線の高さ位置にあるため、ホルダ１０は支持台２０上に底板１１が面接触し、背板１２が直立した状態とされて、そこに支持された位牌４０は直立している。
【００１５】
一方、陳列棚５０の２段目の棚板５２に陳列された位牌４０は、客Ｐの下向きの目線上にあるため、ホルダ１０は後傾され、位牌４０が下向きの目線に対して概ね正面を向くようにされている。そのため、ビス２３を緩めて連結棒３０の他端を前方下方に回動する。このとき、連結棒３０の回動に伴って、ホルダ１０の底板１１の後端は、支持台２０上を摺動しながら前方へ移動する。連結棒３０の他端は、前方下方に移動しているので、ブラケット１３、１４の固定位置である背板１２の中央部は前方下方に移動している。従って、連結棒３０の回動に伴って位牌４０は、その上部が下方に移動しながら下部が前方に移動する。そのため、位牌４０の下部のみを前方へ移動することで位牌４０を後傾させるものに比べて、位牌４０の下部の前方への移動量は大きくしなくても位牌４０を大きく後傾させることができ、陳列棚５０の前後（奥行）寸法を大きくしなくても位牌４０の後傾展示を実現できる。しかも、位牌４０を後傾させるための構成は支持台２０とホルダ１０とを一本の連結棒３０で連結したのみの簡単なもので済み、位牌４０の下部を前方へ移動するための機構と位牌４０の上部を下方へ移動するための機構とを個別に備える場合に比べて構成を簡略化できる。
図５の陳列棚５０の最下段の棚板５３に陳列される位牌４０は、２段目の棚板５２の位牌４０よりも更に後傾角度を大きくされ、更に下向きとされた客Ｐの目線に対して位牌４０を概ね正面に向けることができる。
【００１６】
以上の実施形態では、透光性のアクリル樹脂で陳列台を形成したため、陳列商品である位牌４０を浮き上がらせて見せることができる。また、位牌４０を正面から見たとき、突部１６、連結棒３０、各ブラケット１３、１４、２１、２２は全て位牌４０の陰に隠れるため雑然とした構造物を見せず、位牌４０をすっきりと見せることができる。
上記では、位牌４０を商品とした場合について説明した。位牌は下部に比べて上部の幅が狭い。これに対し、例えば携帯電話、靴などの商品のように、商品を縦長に置いた陳列時の姿勢で、下部と上部とで幅が大きく変化しないものを商品として上記実施形態の陳列台により陳列した場合は、正面から商品を見たとき、ホルダ１０の背板１２も商品の陰に隠れて見えなくなるため、更に効果的に商品のみを浮き上がらせて見栄え良く商品を陳列することができる。
【００１７】
上記実施形態では、アクリル製の陳列台について説明したが、陳列台は他の材料によって構成しても良い。例えば、檜材、アルミニウム、ステンレススチール、紙など。また、連結機構は、歯車を使う機構によって構成することもできる。連結棒は、一本だけに限らず、背板の両側にそれぞれ一本づつ設けても良い。更に、支持棒と支持台との連結角度を選択的に維持可能としているが、支持棒とホルダとの連結角度も選択的に維持可能としても良い。
その他、本発明は、その発明思想の範囲内で各種形態で実施可能である。
【符号の説明】
【００１８】
１０    ホルダ
１１    底板
１２    背板
２０    支持台
３０    連結棒（連結機構）
４０    位牌
５０    陳列棚
【図１】
2012055466.tif 000003
【図２】
2012055466.tif 000004
【図３】
2012055466.tif 000005
【図４】
2012055466.tif 000006
【図５】
2012055466.tif 000007